(57)【特許請求の範囲】
【請求項１】
データバスのための入／出力モジユールであって、
複数の入／出力モジユールが相隣接して取付レールに係止可能であり、
これらの入／出力モジユールがそれぞれベース端子ブロツクからなり、これらのベース端子ブロツクが、取付けレールの方向に互いに並んでかつ互いに間隔を置いて設けられる複数の接続平面を有し、これらの接続平面が、接続平面ごとに、それぞれ１つのバス利用者（アクター、センサ、機器）を並列に配線するための端子接続部を有し、
ベース端子ブロツクに差込可能な入／出力電子ユニツトが、ベース端子ブロツクに挿通された直列データバス線にバス利用者を接続する
ものにおいて、
ベース端子ブロツク（４，５）の絶縁ケースが浅い底通路（２４）を有し、この底通路が取付レール（６）に対して平行にベース端子ブロツクの幅全体にわたつて延びており、
底通路（２４）内に、ベース端子ブロツク（４，５）の幅全体にわたつて延びたプリント基板（２５）が設けられ、このプリント基板が、データバス線のための導体路と入／出力電子ユニツト（２０）に電力を供給するための導体路とを有し、導体路をボンデイングするため入／出力電子ユニツト（２０）が、プリント基板（２５）に上から差込可能であり、
隣接して取付レール（６）に係止されたベース端子ブロツクの導体路が、Ｕ形電子ジヤンパ（２７）によつて互いに接続可能であり、このＵ形電子ジヤンパが隣接プリント基板（２５）の端部に上から差込可能である
ことを特徴とする入／出力モジユール。
【請求項２】
それぞれ１つの入／出力電子ユニツト（２０）が、底通路（２４）内に設けられたプリント基板（２５）に差込可能であることを特徴とする、請求項１に記載の入／出力モジユール。
【請求項３】
底通路（２４）が上側絶縁壁（２６）によつて閉じられて構成され、この上側絶縁壁がプリント基板を接触保護して覆い、入／出力電子ユニツトと電子ジヤンパが、上側絶縁壁を通してプリント基板に差込可能であることを特徴とする、請求項１又は２に記載の入／出力モジユール。
【請求項４】
電子ジヤンパ（２７）が底通路の上側絶縁壁（２６）内に埋没させて設けられていることを特徴とする、請求項３に記載の入／出力モジユール。
【請求項５】
入／出力電子ユニツト（２０）が、底通路に対向していない側面に固定的に設けられた接触子（１７，１８，１９）を有し、底通路内に設けられたプリント基板に入／出力電子ユニツトを差し込む際これらの接触子が、それぞれベース端子ブロツクの付属する接続平面の端子接続部に至る電流路（１４，１５，１６）を閉じることを特徴とする、請求項１又は２に記載の入／出力モジユール。
【請求項６】
端子接続部に接続されたバス利用者のための電力供給が、ベース端子ブロツクによる内部接続によつて行われ、ベース端子ブロツク間の内部接続がＵ形電力横ジヤンパ（２３）によつて橋絡されていることを特徴とする、請求項１ないし５の１つに記載の入／出力モジユール。
【請求項７】
直列端子と取付レール上で組合されることを特徴とする、請求項１又は３に記載の入／出力モジユール。
【発明の詳細な説明】
【０００１】
【産業上の利用分野】
本発明は、さまざまな製造業者のいわゆるフイールドバスとして、特殊なプロセツサシステム、産業用コンピユータ等と一緒に、例えばプロセス経過、機械、設備を制御し、視覚化する等のために、又建物システム工学のために提供されるようなデータバスのための入／出力モジユールに関する。
【０００２】
【従来の技術】
フイールドバス構想は、機械及び設備等の合理的配線方式である。入／出力モジユール（Ｉ／０モジユール）は、アクター、センサ及びその他の機器であり得る個々のバス利用者を並列に配線するための端子接続部を装備している。配線は、希望するあらゆる接続技術で、例えば単線，２線，３線又は４線技術で実現することができる。特に簡単に操作することのできるばね力式端子が、又はねじ込式端子も、端子接続部に適している。
【０００３】
モジユールは、モジユールの端子接続部に接続された利用者を直列データバス線と接続する入／出力電子装置を装備しており、該バス線は例えば単純な２線回路であり、又は光ケーブルであり得る。入／出力モジユールに接続されたこのデータバス線は、実際には、大抵、バスマスタを介してフイールドバス（遠隔バス）に接続されたリングの網形態における独自のサブバスである。バスマスタが制御する個々の入／出力モジユールは、任意の順序で互いに組合せることができ、
又リング内の任意の位置に設けておくことができる。
【０００４】
いわゆる給電レールが組み合わせたプリント基板部分片の形で組付けられている取付レールに入／出力モジユールを係止することは公知である。入／出力電子装置に電力を供給するための２つの導体の他に、そこで給電レール上に３つの別のデータバス用導体が用意されている。導体のボンデイングは、特定の格子間隔で給電レール内に強固に内蔵された筒形接触子を介して行われる。
【０００５】
取付レール内に取付けられたこのような給電レールは、入／出力モジユールを取付レールに固着するための経費及び組付支出を高くするたけでなく（給電レールの未使用部分は覆い隠しておかねばならない。）、同時にそのモジユール性も妨げる。というのも、入／出力モジユールの幅は常に給電レール内の筒形接触子の所定の格子間隔の数倍でなければならないからである。また取付レール内に設けられた給電レールは、取付レール自体を取付面等に固着する際に妨げとなる。というのも、このために必要となるねじ通路は給電レールのまつたく特定の個所にのみ許されているからであり、これは実際には局所的に与えられた条件としばしば一致していない。
【０００６】
取付レールに係止可能な別の公知の入／出力モジユールでは、確証された仕方でモジユールを未変更の市販の取付レールに係止し、データバス線と入／出力電子装置のための電源線とを差込可能なリボンケーブルの形で、モジユールごとに接続することによつて指摘された欠点は防止されている。これは利用者にとつて多少面倒な作業である。
【０００７】
しかもこの公知の入／出力モジユールはきわめて幅広である。それはそれぞれベース端子ブロツクからなり、該ブロツクは取付レールの方向で並行にかつ互いに平行な間隔を置いて、１６，２４又は３２の接続平面を有しており、該平面は、接続平面ごとに各１つのバス利用者（アクター、センサ又はその他の機器）を並列に配線するための端子接続部を備えている。このように幅広の入／出力モジユールでは、システムの希望するモジユール性がほとんど失われ、殊に１入／出力モジユールのすべての接続平面がそれぞれ常に１つの類にのみ（それぞれ入力端にのみ又は出力端にのみ）付属しているのでなおのこと失われる。というのも、これらの公知の入／出力モジユールでは、ベース端子ブロツクに差込可能な入／出力電子ユニツトが設けられており、これが取付レールの方向でベース端子ブロツクの幅全体にわたつて横に延びているからである。これが利用者の経費を高める。というのも利用者は、例えば１つの接続平面のみを必要とする場合でも、１６，２４又は３２の接続平面を有する入／出力モジユールを設置しなければならないからである。
【０００８】
【発明が解決しようとする課題】
本発明の課題は、未変更の市販の取付レールに係止することのできる前記型式の入／出力モジユールを改良して、それが利用者にとつてきわめて簡単に取り扱うことができ又データバス線及び電源線と接続することができるようにすることであり、同時に不必要な接続平面の電子装置のための経費を省くことができるように，高いモジユール性が与えられていなければならない。
【０００９】
【課題を解決するための手段】
この課題を解決するため、本発明によれば、ベース端子ブロツクの絶縁ケースが浅い底通路を有し、この底通路が取付レールに対して平行にベース端子ブロツクの幅全体にわたつて延びており、底通路内に、ベース端子ブロツクの幅全体にわたつて延びたプリント基板が設けられ、このプリント基板が、データバス線のための導体路と入／出力電子ユニツトに電力を供給するための導体路とを有し、導体路をボンデイングするため入／出力電子ユニツトが、プリント基板に上から差込可能であり、隣接して取付レールに係止されたベース端子ブロツクの導体路が、Ｕ形電子ジヤンパによつて互いに接続可能であり、このＵ形電子ジヤンパが隣接プリント基板の端部に上から差込可能である。
【００１０】
同じベース端子ブロツクの各接続平面ごとに、又は個々の接続平面群ごとに、それぞれ１つの独自の入／出力ユニツトが底通路内に設けられたプリント基板に差込可能であることによつて、この新規な入／出力モジユールの高いモジユール性が保証されている。それに応じて電子ユニツトの絶縁ケースは、比較的狭く、一種の円板として取付レール又はベース端子ブロツクの長手方向を横切つて実施することができ、円板の幅は望ましくは、ベース端子ブロツクの接続平面の格子間隔に一致する。
【００１１】
本発明による入／出力モジユールをもつて、データバス利用者のための多数の接続平面を市販の取付レールに設置することができ、個々の接続平面ごとに又は特定の接続平面群ごとに、追加的にも、即ちベース端子ブロツクの係止後でも適当な入／出力電子ユニツトを差し込むことによつて、接続平面の各類（入力端又は出力端）を定義することができる。その際各ベース端子ブロツクの幅に拘束されてはいない。高いモジユール性は、差込可能な電子ユニツトによつて生じる。接続平面が占有されていないと、即ちバス利用者と配線されていないと、それらの接続平面に関して入／出力電子装置の差込みは行われない。
【００１２】
入／出力電子装置のためにデータバス線及び電源線を接続するための電子ジヤンパの利用が簡単であることが利用者にとつては特に有利である。電子ジヤンパは、底通路内に設けられたプリント基板に差し込む必要があるだけである。これは別の横橋絡システムの形で利用者には既に公知の技術である。
【００１３】
請求項３によれば、底通路が上側絶縁壁によつて閉じて実施されており、該壁がプリント基板を接触保護して覆い、電子ジヤンパが入／出力電子ユニツトも、上側絶縁壁を通してプリント基板に差し込まれる。
【００１４】
望ましくは電子ジヤンパは底通路の上側絶縁壁内に埋没させて設けられており、この場合同一平面上で埋没させると、入／出力電子ユニツトを設けるために底通路の上面全体を利用することができる。
【００１５】
ベース端子ブロツクの信号接続・端子接続部に対して、又同じ接続平面の別の端子接続部に対しても、入／出力電子ユニツトを電気的に接続することは、請求項５により入／出力電子ユニツトが底通路に対向していない側面に固定式に設けられた接触子を有し、該接触子が底通路内に設けられたプリント基板に電子ユニツトを差し込むと、それぞれベース端子ブロツクの付属の接続平面の端子接続部に至る電流路を閉じることによつて簡単に実現することができる。
【００１６】
底通路内に設けられた電子ジヤンパよりも高い電圧を有することのできるこのメーク接点が底通路からかなりの距離を有し、そこにデータバス線が収容されていると、特に有利である。
【００１７】
請求項６によれば、端子接続部に接続されたバス利用者のための電力供給が、ベース端子ブロツクによる内部接続によつて行われ、直列端子において公知であるように特殊な給電端子から出発して、ベース端子ブロツク間の内部接続が公知のＵ形電力横ジヤンパによつて橋絡されている。
【００１８】
これにより、この新規な入／出力モジユールは、引き続き直列端子において公知の横橋絡システム技術であり、こうして利用者は電子ジヤンパを差し込むためにも又電力横ジヤンパを差し込めためにも、この技術を利用することができる。
【００１９】
この新規な入／出力モジユールは、公知の構造様式及び公知の機能の直列端子と組合せて、取付レール上で組合せることができ、つまり請求項７により直列端子、好ましくは直列端子ブロツクか、やはりプリント基板を嵌め込むための底通路を有しており、該底通路が入／出力モジユールの底通路と一致するときにそうである。この場合データバス線と入／出力モジユールのための電源線は直列端子の機能を損なうことなく、問題なく接続することができる。
【００２０】
【実施例】
図面に基づいて以下本発明の実施例を詳しく説明する。
【００２１】
図１に図示された本発明による２つの入／出力モジユールは、それぞれベース端子ブロツク４，５からなり、これが公知の仕方で取付レール６に係止されている。係止のときに同時に公知の如くに、保護導体端子７が保護導体基部８を介して取付レール６と接触する。ベース端子ブロツクごとに、それぞれ１つの保護導体基部８のみが設けられている。これはベース端子ブロツク内に横向きに差し込まれた給電レール９によつて、保護導体端子７のすべての端子接続部と接続されている。
【００２２】
図示されたベース端子ブロツク４は８つの接続平面を有する。隣接して取付レールに係止されたベース端子ブロツク５は４つの接続平面を有するだけである。接続平面は、それぞれ取付レールに対して垂直に延びて、取付レールの方向で並置されている。図示された実施例では、各接続平面にそれぞれ４つの端子接続部がそれもしかも信号端子１０と（＋）端子１１と（−）端子１２と保護導体端子７が設けられている。各端子接続部は、公知の構造様式でばね力式端子１３として実施されており、それ故にこれ以上説明する必要はない。
【００２３】
端子接続部１０，１１，１２はそれぞれ図の左方向に延びた電流路１４，１５，１６を有しており、電流路の二又状末端はメーク接点１７，１８，１９を受容するために入／出力電子ユニツト２０に設けられている。
【００２４】
１ベース端子ブロツクの接続平面の（＋）端子１１と（−）端子１２は、それぞれベース端子ブロツクに横向きに差し込まれた給電レール２１によつて互いに接続されている。この給電レールが末端に差込溝２２を有しており（図３参照）、この溝に電力横ジヤンパ２３（図１参照）が差込可能であり、接続平面の端子接続部と配線されたバス利用者のための電力供給部は（図示されない公知の給電端子から出発して）、回路技術的にこれがそのように設けられているとき、橋絡することかできる。
【００２５】
各ベース端子ブロツクは、図１にさしあたり図示されないベース端子ブロツクの残部２４ａとして見ることのできる浅い底通路２４を有しており、これは次に図示されたベース端子ブロツク４に付属した部分２４ｂで延長されている。認めることができるように、底通路内にプリント基板２５が押し込まれており、該基板はデータバス線のために必要な導体路と入／出力電子装置に電力を供給するために必要な導体路とを有しており、しかし別の電子部品が回路技術的にそのように設けられている場合、該部品も実装しておくことができる。また底通路内に１つ以上のプリント基板を、好ましくは押し込んで、設けておくことができる。
【００２６】
上側絶縁壁２６によつて、底通路がプリント基板２５を接触保護して覆う。プリント基板２５上の導体路をボンデイングするために入／出力電子ユニツト２０が上からプリント基板に差込可能となるように、上側絶縁壁２６に所要の差込穴が設けられている。
【００２７】
一点鎖線の機能線２８によつて明らかとなるように、隣接したプリント基板の端部にこれを上から嵌着することによつて、隣接して取付レールに係止されたベース端子ブロツクの導体路は図示されたＵ形電子ジヤンパ２７によつて互いに接続可能である。
【００２８】
入／出力電子ユニツト２０は、ベース端子ブロツクの接続平面間の格子間隔に一致したケース幅を有する。各電子ユニツトは、ベース端子ブロツクの端子接続部に付属したその側面に強固に設けられたメーク接点１７，１８，１９を有しており、該接点は底通路内に設けられたプリント基板に入／出力電子ユニツトを差し込むと、それぞれ図２に細部として図示されたように付属の電流路１４，１５，１６の二又状末端内に係合する。
【図面の簡単な説明】
【図１】取付レールに係止された新規な入／出力モジユールの斜視図である。
【図２】図１に示す入／出力電子ユニツトのメーク接点を示す。
【図３】図１に示すベース端子ブロツクのための給電レールを示す。
【符号の説明】
４，５  ベース端子ブロツク
２４    底通路
２５    プリント基板
２７    Ｕ形電子ジヤンパ
【図１】
0003577646.tif 000002
【図２】
0003577646.tif 000003
【図３】
0003577646.tif 000004